(57)【要約】【課題】簡易な構造でありながら操作音の小さなスライドスイッチを提供する。【解決手段】スライドスイッチ１００は、操作部１ａが形成されたスライダ部材１と、スライダ部材１を収納可能な空間部２ａを備えたケース２と、スライダ部材１に形成された可動接点部材３と、空間部２ａ内に形成された固定接点部材４と、を有し、可動接点部材３と固定接点部材４とが接離することでスイッチングが行なわれ、スライダ部材１とケース２とが当接することでスライダ部材１のスライド移動の範囲を規制するスライドスイッチであって、スライダ部材１は平面視で略長方形状であり、その角部には曲率を有する第１当接部１ｂを有し、空間部２ａは平面視で略長方形状であり、その角部には矩形状に形成され空間部２ａの内方に突出した第２当接部２ｂを有し、第２当接部２ｂの角部と第１当接部１ｂとが当接し、スライダ部材１のスライド移動の範囲を規制する、構成とした。【選択図】図２
0003184136.tif 000002
【実用新案登録請求の範囲】
【請求項１】
操作部が上面に突出して形成されたスライダ部材と、
前記操作部を外部に突出させた状態で前記スライダ部材をスライド移動可能に収納可能な空間部を備えたケースと、
前記スライダ部材に形成された可動接点部材と、
前記空間部内に形成された固定接点部材と、
を有し、前記スライダ部材のスライド移動に伴って前記可動接点部材と前記固定接点部材とが接離することでスイッチングが行なわれ、前記スライダ部材と前記ケースとが当接することで前記スライダ部材のスライド移動の範囲を規制するスライドスイッチであって、
前記スライダ部材は平面視で略長方形状であり、該略長方形の角部には曲率を有する第１当接部を有し、
前記空間部は平面視で略長方形状であり、該略長方形の角部には前記空間部の内部に向かって突出し平面視で矩形状に形成された第２当接部を有し、
前記第２当接部の角部と前記第１当接部とが当接することで前記スライダ部材のスライド移動の範囲を規制することを特徴とするスライドスイッチ。
【請求項２】
操作部が突出して形成されたスライダ部材と、
前記操作部を外部に突出させた状態で前記スライダ部材をスライド移動可能に収納可能な空間部を備えたケースと、
前記スライダ部材に形成された可動接点部材と、
前記空間部内に形成された固定接点部材と、
を有し、前記スライダ部材のスライド移動に伴って前記可動接点部材と前記固定接点部材とが接離することでスイッチングが行なわれ、前記スライダ部材と前記ケースとが当接することで前記スライダ部材のスライド移動の範囲を規制するスライドスイッチであって、
前記スライダ部材は平面視で略長方形状であり、該略長方形の角部には直角に形成された第１当接部を有し、
前記空間部は平面視で略長方形状であり、該略長方形の角部には前記空間部の内部に向かって突出し平面視で曲率を有する形状に形成された第２当接部を有し、
前記第１当接部の角部と前記第２当接部とが当接することで前記スライダ部材のスライド移動の範囲を規制することを特徴とするスライドスイッチ。
【考案の詳細な説明】
【技術分野】
【０００１】
本考案は、スライドスイッチに関し、特に、簡易な構造でありながら操作音の小さなスライドスイッチに関するものである。
【背景技術】
【０００２】
スライドスイッチにおいては、操作部を操作すると、操作部への操作に伴ってスライダ部がスライド移動し、スイッチングが行われる。このようにスライダ部がスライド移動すると、スライダ部が別の部品に接触することでスライド部の移動範囲を規制する構成のスライドスイッチが多い。このような構成とすると、スライド部が別の部品に接触して操作音が発生しやすい。スライドスイッチの使用用途によっては、操作音の発生が敬遠されることもあり、緩衝部材を設けて操作音を軽減する構成のスライドスイッチもある。
【０００３】
このように緩衝部材を設けて操作音を軽減する構成のスライドスイッチとしては、下記の特許文献１に記載のスライドスイッチが知られている。
【０００４】
以下、図６を用いて、特許文献１に記載のスライドスイッチについて説明する。図６は、特許文献１に記載のスライドスイッチ９２０の構造を示す断面図である。
【０００５】
特許文献１に記載のスライドスイッチ９２０は、スイッチ操作による操作音の発生を低減するスイッチとして構成されており、スイッチ操作の取っ手としてのレバー９２２と、レバー９２２が嵌め込まれた可動子９２４と、可動子９２４がスライド可能な空間が形成され可動子９２４が挿入されたケース９２６と、ケース９２６に設けられ可動子９２４のスライドによって導電する端子９２８ａ、端子９２８ｂ、端子９２８ｃと、可動子９２４のスライドによるケース９２６と可動子９２４との接触を緩衝する緩衝部材としての板バネ９３０とを備える。このスライドスイッチ９２０では、レバー９２２を水平方向へ動かすと、可動子９２４がスライドすることにより端子９２８ａ，端子９２８ｂ，端子９２８ｃがオンまたはオフしてスイッチングできるようになっている。板バネ９３０は、「く」の字状に形成された板状のバネであり、レバー９２２のスイッチ操作により可動子９２４がケース９２６の側面付近までスライドして板バネ９３０の凸部先端に接触するとき、板バネ９３０の緩衝作用によりこの接触を緩衝できるようになっている。したがって、板バネ９３０をケース９２６側の接触部位に設けることで接触音、即ち操作音を低減することができる。
【先行技術文献】
【特許文献】
【０００６】
【特許文献１】特許第３８０９３２４号公報
【考案の概要】
【考案が解決しようとする課題】
【０００７】
しかしながら、特許文献１に記載のスライドスイッチ９２０は、操作音を低減するために板バネ９３０を設けているため、部品点数が増えるとともに、構造が複雑になってしまうという課題があった。
【０００８】
本考案は、上述した課題を解決して、簡易な構造でありながら操作音の小さなスライドスイッチを提供するものである。
【課題を解決するための手段】
【０００９】
請求項１に記載のスライドスイッチは、操作部が上面に突出して形成されたスライダ部材と、前記操作部を外部に突出させた状態で前記スライダ部材をスライド移動可能に収納可能な空間部を備えたケースと、前記スライダ部材に形成された可動接点部材と、前記空間部内に形成された固定接点部材と、を有し、前記スライダ部材のスライド移動に伴って前記可動接点部材と前記固定接点部材とが接離することでスイッチングが行なわれ、前記スライダ部材と前記ケースとが当接することで前記スライダ部材のスライド移動の範囲を規制するスライドスイッチであって、前記スライダ部材は平面視で略長方形状であり、該略長方形の角部には曲率を有する第１当接部を有し、前記空間部は平面視で略長方形状であり、該略長方形の角部には前記空間部の内部に向かって突出し平面視で矩形状に形成された第２当接部を有し、前記第２当接部の角部と前記第１当接部とが当接することで前記スライダ部材のスライド移動の範囲を規制する、という特徴を有する。
【００１０】
請求項２に記載のスライドスイッチは、操作部が突出して形成されたスライダ部材と、前記操作部を外部に突出させた状態で前記スライダ部材をスライド移動可能に収納可能な空間部を備えたケースと、前記スライダ部材に形成された可動接点部材と、前記空間部内に形成された固定接点部材と、を有し、前記スライダ部材のスライド移動に伴って前記可動接点部材と前記固定接点部材とが接離することでスイッチングが行なわれ、前記スライダ部材と前記ケースとが当接することで前記スライダ部材のスライド移動の範囲を規制するスライドスイッチであって、前記スライダ部材は平面視で略長方形状であり、該略長方形の角部には直角に形成された第１当接部を有し、前記空間部は平面視で略長方形状であり、該略長方形の角部には前記空間部の内部に向かって突出し平面視で曲率を有する形状に形成された第２当接部を有し、前記第１当接部の角部と前記第２当接部とが当接することで前記スライダ部材のスライド移動の範囲を規制する、という特徴を有する。
【考案の効果】
【００１１】
請求項１の考案によれば、第１当接部と第２当接部とが線接触することで、面接触した場合に比べて接触音（操作音）が小さくなる。また、別途消音のための部品を必要としないため、簡易な構造で対応できる。したがって、簡易な構造でありながら操作音の小さなスライドスイッチを提供する、という効果を奏する。
【００１２】
請求項２の考案によれば、第１当接部と第２当接部とが線接触することで、面接触した場合に比べて接触音（操作音）が小さくなる。また、別途消音のための部品を必要としないため、簡易な構造で対応できる。したがって、簡易な構造でありながら操作音の小さなスライドスイッチを提供する、という効果を奏する。
【００１３】
以上より、本考案によれば、簡易な構造でありながら操作音の小さなスライドスイッチを提供することができる。
【図面の簡単な説明】
【００１４】
【図１】第１実施形態におけるスライドスイッチ１００の外観を示す斜視図である。
【図２】第１実施形態におけるスライドスイッチ１００の構造を示す分解斜視図である。
【図３】図１に示すＺ１方向側から見た状態のスライドスイッチ１００を示す模式平面図である。
【図４】図３に示すＡ領域を拡大して示した拡大模式図である。
【図５】変形例１におけるスライドスイッチ１００の構造を示す模式平面図である。
【図６】特許文献１に記載のスライドスイッチ９２０の構造を示す断面図である。
【考案を実施するための形態】
【００１５】
［第１実施形態］
以下に第１実施形態におけるスライドスイッチ１００について説明する。
【００１６】
まず始めに本実施形態におけるスライドスイッチ１００の構成について図１および図２を用いて説明する。図１は第１実施形態におけるスライドスイッチ１００の外観を示す斜視図である。図２は第１実施形態におけるスライドスイッチ１００の構造を示す分解斜視図である。
【００１７】
スライドスイッチ１００は、図２に示すように、スライダ部材１と、ケース２と、可動接点部材３と、固定接点部材４と、を備えており、図１に示すように、ケース２から突出した操作部１ａを介してスライダ部材１をスライド移動させることで出力信号の切換を行うことができる。
【００１８】
スライダ部材１は、合成樹脂材からなり、図２に示すように、略直方体状に形成されたスライド部１ｄを有している。また、スライダ部材１は、スライド部１ｄの上面（Ｚ１方向側の面）には柱状に突出して形成された操作部１ａを有する。図３に示すように、スライダ部材１（スライド部１ｄ）はＺ２方向側から平面視したときに略長方形状であり、図４に示すように、略長方形の角部（第１角部１ｃ）には曲率を有する第１当接部１ｂを有している。なお、本実施形態においては、第１当接部１ｂは半径ｒ（ｍｍ）の円弧を成している。
【００１９】
ケース２は、図２に示すように、合成樹脂材からなる本体部材２ｄと金属板からなるカバー部材２ｅとからなる。本体部材２ｄは直方体状に形成されており、上方（Ｚ１方向側）が開放され、内部にスライダ部材１をスライド移動可能に収納可能な空間部２ａを備えている。図３に示すように、空間部２ａはＺ１方向側から平面視したときに略長方形状であり、図４に示すように、略長方形の角部（第２角部２ｃ）には空間部２ａの内部に向かって突出し、平面視で矩形状に形成された第２当接部２ｂを有し、第２当接部２ｂは角部（第３角部２ｋ）を有する。なお、本実施形態においては、第２当接部２ｂは一辺の長さをＬ（ｍｍ）とした正方形状で突出している。スライダ部材１の第１当接部１ｂの半径ｒ（ｍｍ）に対応して、長さＬ（ｍｍ）は少なくとも０．３ｒ（ｍｍ）より大きい寸法である。必要に応じて長さＬ（ｍｍ）の寸法は調整可能である。カバー部材２ｅは、図２に示すように、長方形の平板状に形成された蓋部２ｆを有し、蓋部２ｆは長手辺側の端部に、蓋部２ｆに対して垂直方向（Ｚ２方向）に延出して形成された保持部２ｇを有し、中央部にはスライダ部材１の操作部１ａを挿通可能な開口部２ｈを有している。なお、蓋部２ｆは空間部２ａの上方を覆うことが可能な大きさを有している。
【００２０】
また、空間部２ａ内の底面には固定接点部材４が形成されている。固定接点部材４は金属板からなり、ケース２に埋設されており、空間部２ａ内の底面には第１固定接点部４ａと第２固定接点部４ｂとが露出している。第１固定接点部４ａおよび第２固定接点部４ｂは、空間部２ａの一端側（Ｙ２方向側）の両端（Ｘ１方向側とＸ２方向側）に離間して配設されており、電気的に接続されていない。また、第１固定接点部４ａを形成する金属板はケース２の本体部材２ｄに埋設された状態で一端側へ延設され、本体部材２ｄの一端側の端面から露出するとともに突出して第１接続端子４ｃを形成している。第２固定接点部４ｂを形成する金属板も同様にして第２接続端子４ｄを形成している。
【００２１】
可動接点部材３は金属板からなり、図２に示すように、平板状に形成された取付部３ａと、取付部３ａの両端から下方（Ｚ２方向）の同一方向に片持ち梁状に延出して形成された摺動部３ｂと、を有している。摺動部３ｂは弾性を有しており、先端部には下方側へ突出して接点部３ｃが形成されている。また、接点部３ｃ同士の離間距離は、第１固定接点部４ａと第２固定接点部４ｂとの離間距離とほぼ同一である。
【００２２】
次にスライドスイッチ１００の構造について図２および図３を用いて説明する。図３は図１に示すＺ１方向側から見た状態のスライドスイッチ１００を示す模式平面図であり、図３（ａ）はスライダ部材１が空間部２ａの一端側にある状態を示す平面図であり、図３（ｂ）はスライダ部材１が空間部２ａの他端側にある状態を示す平面図である。なお、図３においては、説明を容易にするために、カバー部材２ｅは図示していない。
【００２３】
可動接点部材３は、摺動部３ｂが下方（図２に示すＺ２方向）へ突出するように取付部３ａをカシメによりスライダ部材１のスライド部１ｄの下面に係止することで、スライダ部材１に一体に形成される。
【００２４】
可動接点部材３が一体に形成されたスライダ部材１は、図３に示すように、可動接点部材３が固定接点部材４と対向するように、本体部材２ｄの空間部２ａの内部にスライド移動可能に収納される。スライダ部材１は空間部２ａの一端側（Ｙ２方向側）と他端側（Ｙ１方向側）との間をスライド移動可能である。また、スライダ部材１が空間部２ａの一端側の端部にある時は、可動接点部材３の一方の接点部３ｃが第１固定接点部４ａに接触するとともに、可動接点部材３の他方の接点部３ｃが第２固定接点部４ｂに接触している。スライダ部材１が空間部２ａの他端側の端部にある時は、可動接点部材３と固定接点部材４とは接触しない。
【００２５】
可動接点部材３が一体に形成されたスライダ部材１が収納された空間部２ａの上方を覆うとともに、開口部２ｈから操作部１ａを外部に突出させた状態で、カバー部材２ｅを本体部材２ｄに重ねて配置する。このように配置されたカバー部材２ｅの保持部２ｇをかしめて本体部材２ｄにカバー部材２ｅを係止することで、スライダ部材１が脱落することなく空間部２ａ内をスライド移動可能なケース２が形成されるとともに、図１に示すようなスライドスイッチ１００が形成される。
【００２６】
次にスライドスイッチ１００の動作について図３および図４を用いて説明する。図４は図３に示すＡ領域を拡大して示した模式拡大図である。
【００２７】
スライドスイッチ１００は、図３(ａ)に示す状態から図３（ｂ）に示す状態まで、操作部１ａを介してスライダ部材１をスライド移動させることができる。当然、図３(ｂ)に示す状態から図３（ａ）に示す状態まで、スライダ部材１をスライド移動させることができる。図３（ｂ）に示すように、スライダ部材１が空間部２ａの一端側の端部にある時は、可動接点部材３を介して第１固定接点部４ａと第２固定接点部４ｂとが電気的に接続される。スライダ部材１が空間部２ａの他端側の端部にある時は、第１固定接点部４ａと第２固定接点部４ｂとの電気的な接続は解除される。このように、スライダ部材１のスライド移動に伴って可動接点部材３と固定接点部材４とが接離することでスイッチングが行なわれ、第１接続端子４ｃおよび第２接続端子４ｄを外部と接続し、第１固定接点部４ａと第２固定接点部４ｂとの電気的な接続状態を信号として出力することでスライドスイッチとして機能する。
【００２８】
また、スライダ部材１のスライド移動の範囲は、スライダ部材１とケース２とが当接することで規制されており、詳細には、図４に示すように、第２当接部２ｂの角部（第３角部２ｋ）と第１当接部１ｂとが当接することでスライダ部材１のスライド移動の範囲を規制している。図４に示す状態で、第１当接部１ｂは半径１（ｍｍ）の円弧であり、スライダ部材１のスライド方向においてスライダ部材１と本体部材２ｄとの間に設ける隙間を１（ｍｍ）にしたい場合には、第２当接部２ｂは一辺の長さＬ（ｍｍ）を１．３（ｍｍ）にすることで対応でき、第２当接部２ｂの角部（第３角部２ｋ）と第１当接部１ｂとは線接触する。なお、図４では図３に示すＹ１方向側の第３角部２ｋと第１当接部１ｂとを図示したが、Ｙ２方向側においても同様である。
【００２９】
以下、本実施形態としたことによる効果について説明する。
【００３０】
本実施形態のスライドスイッチ１００では、操作部１ａが上面に突出して形成されたスライダ部材１と、操作部１ａを外部に突出させた状態でスライダ部材１をスライド移動可能に収納可能な空間部２ａを備えたケース２と、スライダ部材１に形成された可動接点部材３と、空間部２ａ内に形成された固定接点部材４と、を有し、スライダ部材１のスライド移動に伴って可動接点部材３と固定接点部材４とが接離することでスイッチングが行なわれ、スライダ部材１とケース２とが当接することでスライダ部材１のスライド移動の範囲を規制するスライドスイッチであって、スライダ部材１は平面視で略長方形状であり、略長方形の角部（第１角部１ｃ）には曲率を有する第１当接部１ｂを有し、空間部２ａは平面視で略長方形状であり、略長方形の角部（第２角部２ｃ）には空間部２ａの内部に向かって突出し平面視で矩形状に形成された第２当接部２ｂを有し、第２当接部２ｂの角部（第３角部２ｋ）と第１当接部１ｂとが当接することでスライダ部材１のスライド移動の範囲を規制する、構成とした。
【００３１】
これにより、第１当接部１ｂと第２当接部２ｂとが線接触することで、面接触した場合に比べて接触音（操作音）が小さくなる。また、別途消音のための部品を必要としないため、簡易な構造で対応できる。したがって、簡易な構造でありながら操作音の小さなスライドスイッチを提供するという効果を奏する。
【００３２】
以上のように、本考案の実施形態に係るスライドスイッチを具体的に説明したが、本考案は上記の実施形態に限定されるものではなく、要旨を逸脱しない範囲で種々変更して実施することが可能である。例えば次のように変形して実施することができ、これらの実施形態も本考案の技術的範囲に属する。
【００３３】
＜変形例１＞
本実施形態において、スライダ部材１は平面視で略長方形状であり、略長方形の角部（第１角部１ｃ）には曲率を有する第１当接部１ｂを有し、空間部２ａは平面視で略長方形状であり、略長方形の角部（第２角部２ｃ）には空間部２ａの内部に向かって突出し平面視で矩形状に形成された第２当接部２ｂを有し、第２当接部２ｂの角部（第３角部２ｋ）と第１当接部１ｂとが当接することでスライダ部材１のスライド移動の範囲を規制する構造とした。しかし、図５に示すような構成としても良い。なお、図５は変形例１におけるスライドスイッチ１００の構造を示す模式平面図である。変形例１におけるスライドスイッチ１００は、図５に示すように、スライダ部材１は平面視で略長方形状であり、略長方形の角部（第１角部１ｃ）には直角に形成された第１当接部１ｅを有している。また、空間部２ａは平面視で略長方形状であり、略長方形の角部（第２角部２ｃ）には空間部２ａの内部に向かって突出し平面視で曲率を有する形状に形成された第２当接部２ｍを有している。第１当接部１ｅの角部１ｆと第２当接部２ｍとが当接することでスライダ部材１のスライド移動の範囲を規制する構造である。なお、第１当接部１ｅを直角に形成するとしたが、正確に直角である必要はなく、直角近傍の角度であればよい。また、スライダ部材１を空間部２ａの一端または他端に移動させたときに、第１当接部１ｅの角部１ｆと第２当接部２ｍとが線接触し、スライダ部材１のスライド方向においてスライダ部材１と本体部材２ｄとの間に隙間ができれば、第１当接部１ｅの角部１ｆと第２当接部２ｍの各種寸法は変更しても良い。
【００３４】
このように、第１当接部１ｅの角部１ｆと第２当接部２ｍとが線接触する構成とすることで、面接触した場合に比べて接触音（操作音）が小さくなる。また、別途消音のための部品を必要としないため、簡易な構造で対応できる。したがって、簡易な構造でありながら操作音の小さなスライドスイッチを提供するという効果を奏する。
【００３５】
＜変形例２＞
変形例１において、スライダ部材１の第１角部１ｃに、直角に形成された第１当接部１ｅを有する構造としたが、スライダ部材１の第１角部１ｃ自体を直角に形成しても良い。
【符号の説明】
【００３６】
１      スライダ部材
１ａ    操作部
１ｂ    第１当接部
１ｃ    第１角部
１ｄ    スライド部
１ｅ    第１当接部
１ｆ    角部
２      ケース
２ａ    空間部
２ｂ    第２当接部
２ｃ    第２角部
２ｄ    本体部材
２ｅ    カバー部材
２ｆ    蓋部
２ｇ    保持部
２ｈ    開口部
２ｋ    第３角部
２ｍ    第２当接部
３      可動接点部材
３ａ    取付部
３ｂ    摺動部
３ｃ    接点部
４      固定接点部材
４ａ    第１固定接点部
４ｂ    第２固定接点部
４ｃ    第１接続端子
４ｄ    第２接続端子
１００  スライドスイッチ
【図１】
0003184136.tif 000003
【図２】
0003184136.tif 000004
【図３】
0003184136.tif 000005
【図４】
0003184136.tif 000006
【図５】
0003184136.tif 000007
【図６】
0003184136.tif 000008